(57)【要約】【課題】フォトムービーを複数個作成しても記録可能な動画クリップ数を減らさないようにするとともに、動画クリップとフォトムービーとを分けて再生できるようにする。【解決手段】フォトムービー作成イベントを検知すると、フォトムービー作成フラグを立て、光ディスク２０５におけるファイナライズ時に一括してフォトムービーを作成し、各フォトムービーをチャプタとして管理し、全てのフォトムービーを１タイトルとして一元管理することができるようにして、動画クリップの記録可能数を減らさないようにするとともに、動画クリップとフォトムービーとを分けて再生することができるようにする。【選択図】図２
2007325110.tif 000002
【特許請求の範囲】
【請求項１】
被写体を撮像して動画像データ及び静止画像データを生成する撮像手段と、
動画記録指示に応じて前記撮像手段により得られた動画像データを動画記録形式に応じて記録媒体に記録すると共に、静止画記録指示に応じて前記撮像手段により得られた静止画像データを静止画記録形式に応じて前記記録媒体に記録する記録手段と、
前記記録媒体に記録されている静止画像データを前記動画記録形式に応じた動画像データに変換し、変換動画データを生成する変換手段と、
任意のタイミングで前記変換動画データの生成を指示する変換指示手段と、
前記記録媒体に対するファイナライズ処理の指示に応じて、前記変換指示手段による指示があったときに前記記録媒体に記録されている１以上の前記静止画像データを１つのグループとし、複数の前記変換指示手段による指示に対応した複数のグループの前記静止画像データよりそれぞれ異なる変換動画データを生成するよう前記変換手段を制御すると共に、前記変換手段により生成された前記複数のグループの変換動画データを前記動画記録形式に従って前記記録媒体に記録した後前記ファイナライズ処理を実行するよう前記記録手段を制御する制御手段とを備えることを特徴とする撮像装置。
【請求項２】
被写体を撮像して動画像データ及び静止画像データを生成する撮像手段と、
動画記録指示に応じて前記撮像手段により得られた動画像データを動画記録形式に応じて記録媒体に記録すると共に、静止画記録指示に応じて前記撮像手段により得られた静止画像データを静止画記録形式に応じて前記記録媒体に記録する記録手段と、
前記記録媒体に記録されている静止画像データを前記動画記録形式に応じた動画像データに変換し、変換動画データを生成する変換手段と、
任意のタイミングで前記変換動画データの生成を指示する変換指示手段と、
前記変換指示手段による指示タイミングとは異なる予め決められたタイミングにて、前記変換指示手段による指示があったときに前記記録媒体に記録されている１以上の前記静止画像データを１つのグループとし、複数の前記変換指示手段による指示に対応した複数のグループの前記静止画像データよりそれぞれ異なる変換動画データを生成するよう前記変換手段を制御すると共に、前記変換手段により生成された前記複数のグループの変換動画データを前記動画記録形式に従って前記記録媒体に記録した後ファイナライズ処理を実行するよう前記記録手段を制御する制御手段とを備えることを特徴とする撮像装置。
【請求項３】
前記制御手段は、前記変換指示手段による連続した２つの指示の間に記録された１以上の前記静止画像データを１つのグループとすることを特徴とする請求項１または２に記載の撮像装置。
【請求項４】
前記制御手段は、前記変換指示手段の指示に応じて識別情報を前記記録媒体に記録するよう前記記録手段を制御することを特徴とする請求項１または２に記載の撮像装置。
【請求項５】
前記制御手段は、前記グループを識別するための識別情報を前記静止画像データと共に記録するよう前記記録手段を制御することを特徴とする請求項１または２に記載の撮像装置。
【請求項６】
前記記録手段により前記記録媒体に記録される動画像データを前記動画記録形式に応じた管理単位にて管理する管理手段を備え、
前記制御手段は、前記管理手段により前記管理単位が分割されたタイミングにて前記変換動画データを生成するよう前記変換手段を制御することを特徴とする請求項２に記載の撮像装置。
【請求項７】
前記管理単位は、第２の管理単位と、１以上の前記第２の管理単位とからなる第１の管理単位とを含み、
前記制御手段は、前記管理手段により前記第１の管理単位が分割されたタイミングにて前記変換動画データを生成するよう前記変換手段を制御し、
前記管理手段は、複数のグループの変換動画データをそれぞれ前記第２の管理単位にて管理することを特徴とする請求項６に記載の撮像装置。
【請求項８】
被写体を撮像して動画像データ及び静止画像データを生成する撮像工程と、
動画記録指示に応じて前記撮像工程において得られた動画像データを動画記録形式に応じて記録媒体に記録すると共に、静止画記録指示に応じて前記撮像工程において得られた静止画像データを静止画記録形式に応じて前記記録媒体に記録する記録工程と、
前記記録媒体に記録されている静止画像データを前記動画記録形式に応じた動画像データに変換し、変換動画データを生成する変換工程と、
任意のタイミングで前記変換動画データの生成を指示する変換指示工程と、
前記記録媒体に対するファイナライズ処理の指示に応じて、前記変換指示工程による指示があったときに前記記録媒体に記録されている１以上の前記静止画像データを１つのグループとし、複数の前記変換指示工程による指示に対応した複数のグループの前記静止画像データよりそれぞれ異なる変換動画データを生成するよう前記変換工程を制御すると共に、前記変換工程において生成された前記複数のグループの変換動画データを前記動画記録形式に従って前記記録媒体に記録した後前記ファイナライズ処理を実行するよう前記記録手段を制御する制御工程とを備えることを特徴とする撮像装置の制御方法。
【請求項９】
被写体を撮像して動画像データ及び静止画像データを生成する撮像工程と、
動画記録指示に応じて前記撮像工程において得られた動画像データを動画記録形式に応じて記録媒体に記録すると共に、静止画記録指示に応じて前記撮像工程において得られた静止画像データを静止画記録形式に応じて前記記録媒体に記録する記録工程と、
前記記録媒体に記録されている静止画像データを前記動画記録形式に応じた動画像データに変換し、変換動画データを生成する変換工程と、
任意のタイミングで前記変換動画データの生成を指示する変換指示工程と、
前記変換指示工程による指示タイミングとは異なる予め決められたタイミングにて、前記変換指示工程による指示があったときに前記記録媒体に記録されている１以上の前記静止画像データを１つのグループとし、複数の前記変換指示工程による指示に対応した複数のグループの前記静止画像データよりそれぞれ異なる変換動画データを生成するよう前記変換工程を制御すると共に、前記変換工程において生成された前記複数のグループの変換動画データを前記動画記録形式に従って前記記録媒体に記録した後ファイナライズ処理を実行するよう前記記録工程を制御する制御工程とを備えることを特徴とする撮像装置の制御方法。
【請求項１０】
前記制御工程においては、前記変換指示工程による連続した２つの指示の間に記録された１以上の前記静止画像データを１つのグループとすることを特徴とする請求項８または９に記載の撮像装置の制御方法。
【請求項１１】
前記制御工程においては、前記変換指示工程による指示に応じて識別情報を前記記録媒体に記録するよう前記記録工程を制御することを特徴とする請求項８または９に記載の撮像装置の制御方法。
【請求項１２】
前記制御工程においては、前記グループを識別するための識別情報を前記静止画像データと共に記録するよう前記記録工程を制御することを特徴とする請求項８または９に記載の撮像装置の制御方法。
【請求項１３】
前記記録工程において前記記録媒体に記録される動画像データを前記動画記録形式に応じた管理単位にて管理する管理工程を備え、
前記制御工程においては、前記管理工程において前記管理単位が分割されたタイミングにて前記変換動画データを生成するよう前記変換工程を制御することを特徴とする請求項９に記載の撮像装置の制御方法。
【請求項１４】
前記管理単位は、第２の管理単位と、１以上の前記第２の管理単位とからなる第１の管理単位とを含み、
前記制御工程においては、前記管理工程において前記第１の管理単位が分割されたタイミングにて前記変換動画データを生成するよう前記変換工程を制御し、
前記管理工程においては、複数のグループの変換動画データをそれぞれ前記第２の管理単位にて管理することを特徴とする請求項１３に記載の撮像装置の制御方法。
【請求項１５】
被写体を撮像して動画像データ及び静止画像データを生成する撮像工程と、
動画記録指示に応じて前記撮像工程において得られた動画像データを動画記録形式に応じて記録媒体に記録すると共に、静止画記録指示に応じて前記撮像工程において得られた静止画像データを静止画記録形式に応じて前記記録媒体に記録する記録工程と、
前記記録媒体に記録されている静止画像データを前記動画記録形式に応じた動画像データに変換し、変換動画データを生成する変換工程と、
任意のタイミングで前記変換動画データの生成を指示する変換指示工程と、
前記記録媒体に対するファイナライズ処理の指示に応じて、前記変換指示工程による指示があったときに前記記録媒体に記録されている１以上の前記静止画像データを１つのグループとし、複数の前記変換指示工程による指示に対応した複数のグループの前記静止画像データよりそれぞれ異なる変換動画データを生成するよう前記変換工程を制御すると共に、前記変換工程において生成された前記複数のグループの変換動画データを前記動画記録形式に従って前記記録媒体に記録した後前記ファイナライズ処理を実行するよう前記記録手段を制御する制御工程とを備える撮像装置の制御方法をコンピュータに実行させることを特徴とするプログラム。
【請求項１６】
被写体を撮像して動画像データ及び静止画像データを生成する撮像工程と、
動画記録指示に応じて前記撮像工程において得られた動画像データを動画記録形式に応じて記録媒体に記録すると共に、静止画記録指示に応じて前記撮像工程において得られた静止画像データを静止画記録形式に応じて前記記録媒体に記録する記録工程と、
前記記録媒体に記録されている静止画像データを前記動画記録形式に応じた動画像データに変換し、変換動画データを生成する変換工程と、
任意のタイミングで前記変換動画データの生成を指示する変換指示工程と、
前記変換指示工程による指示タイミングとは異なる予め決められたタイミングにて、前記変換指示工程による指示があったときに前記記録媒体に記録されている１以上の前記静止画像データを１つのグループとし、複数の前記変換指示工程による指示に対応した複数のグループの前記静止画像データよりそれぞれ異なる変換動画データを生成するよう前記変換工程を制御すると共に、前記変換工程において生成された前記複数のグループの変換動画データを前記動画記録形式に従って前記記録媒体に記録した後ファイナライズ処理を実行するよう前記記録工程を制御する制御工程とを備える撮像装置の制御方法をコンピュータに実行させることを特徴とするプログラム。
【請求項１７】
請求項１５または１６に記載のプログラムを記憶したことを特徴とするコンピュータ読み取り可能な記憶媒体。
【発明の詳細な説明】
【技術分野】
【０００１】
本発明は撮像装置、撮像装置の制御方法、プログラム及び記憶媒体に関し、特に、動画と静止画とが記録可能なデジタルビデオカメラ等において、静止画から動画像を作成するために用いて好適な技術に関する。
【背景技術】
【０００２】
近年、ＤＶＤなどの大容量記録媒体を利用したデジタルビデオカメラが普及している。ＤＶＤ規格の１つであるＤＶＤ−Ｖｉｄｅｏ規格は、映画やスポーツ、舞台などの映像コンテンツ商品の規格として採用されている。一方、ＤＶＤ−Ｖｉｄｅｏ規格は、家庭用ＤＶＤ記録機器の記録方法の１つとしても採用されており、一般に「ビデオモード」と称されている記録モードがこのＤＶＤ−Ｖｉｄｅｏ規格に該当する。
【０００３】
ＤＶＤ−Ｖｉｄｅｏ規格はオーサリングを前提としており、動画像コンテンツをＤＶＤに記録後の編集、ファイナライズを行った後の追記を行うことはできない。ただし、ＤＶＤ−ＲＷのような書き換え可能ディスクに関しては、ファイナライズを解除することによって動画像を追記することが可能となる。なお、ファイナライズとはディスクの終了処理のことを意味しており、Ｖｉｄｅｏモードにおいては、このファイナライズ処理を行うことにより、一般に普及しているＤＶＤプレイヤーと再生互換を確保することができる。つまり、このファイナライズ処理によりＤＶＤ−Ｖｉｄｅｏ規格に準拠したビデオディスクとなる。
【０００４】
ところで、ＤＶＤ−Ｖｉｄｅｏ規格では、動画像をタイトルとチャプタという単位に分けて、階層構造を形成している。例えば、ＤＶＤデジタルビデオカメラの場合、１回の録画開始から終了までの動画像データ（以下、動画クリップ）をチャプタ単位で記録し、ある所定条件の下に複数のチャプタの集合をタイトルとして管理するようにしている。これによって、１つの記録媒体あたりの記録可能な動画クリップ数を増やしているものが一般的である。
【０００５】
なお、記録可能な最大動画クリップ数は、９９タイトル（ディスク１枚当たりの最大タイトル数）×９９チャプタ（１タイトル当たりの最大チャプタ数）である。タイトルをクローズする所定条件としては、動画クリップの撮影数が９９チャプタを超えた場合、画面アスペクト比を変更した場合、記録レートを変更した場合、ディスクがイジェクトされた場合などが挙げられる。また、同一の日付に記録された複数のチャプタを一つのタイトルとして管理する記録方法も知られている（例えば、特許文献１参照）。
【０００６】
また、デジタルビデオカメラは、動画像と静止画像との両方の記録手段をもつものが一般的である。例えばＤＶＤの場合、動画像はMPEG方式で記録され、静止画像はJPEG方式で記録される。しかし、ＤＶＤ再生機器には動画像のデコーダしか搭載していないものも多く、そのようなＤＶＤ再生機器では静止画像をデコードすることができず、ユーザは静止画を利用することができなかった。
【０００７】
そこで、前記問題を解決する手段として、静止画像データをMPEG方式のIピクチャに変換してスライドショー形式の動画像（以下、フォトムービー）として新たに記録する方法が知られている（例えば、特許文献２参照）。
【０００８】
【特許文献１】特開２００３−３０８６７５号公報
【特許文献２】特開２００４−２０１１７０号公報
【発明の開示】
【発明が解決しようとする課題】
【０００９】
ところが、フォトムービーを作成する場合、それまで記録されていた動画像はタイトルとしてクローズされ、フォトムービー自体も１タイトル１チャプタとしてタイトルクローズして記録していた。このため、フォトムービーを作成するたびにタイトル数が増加してしまい、記録可能な動画クリップ数を減らしてしまうという問題点があった。
【００１０】
また、ＤＶＤ−Ｖｉｄｅｏ規格準拠のディスクでは、動画像データを記録順に（ディスク内周に記録された動画像データから）再生するため、動画クリップとフォトムービーとを混在して再生してしまうという問題点があった。
【００１１】
本発明は前述の問題点に鑑み、フォトムービーを複数個作成しても記録可能な動画クリップ数を減らさないようにするとともに、動画クリップとフォトムービーとを分けて再生できるようにすることを目的としている。
【課題を解決するための手段】
【００１２】
本発明の撮像装置は、被写体を撮像して動画像データ及び静止画像データを生成する撮像手段と、動画記録指示に応じて前記撮像手段により得られた動画像データを動画記録形式に応じて記録媒体に記録すると共に、静止画記録指示に応じて前記撮像手段により得られた静止画像データを静止画記録形式に応じて前記記録媒体に記録する記録手段と、前記記録媒体に記録されている静止画像データを前記動画記録形式に応じた動画像データに変換し、変換動画データを生成する変換手段と、任意のタイミングで前記変換動画データの生成を指示する変換指示手段と、前記記録媒体に対するファイナライズ処理の指示に応じて、前記変換指示手段による指示があったときに前記記録媒体に記録されている１以上の前記静止画像データを１つのグループとし、複数の前記変換指示手段による指示に対応した複数のグループの前記静止画像データよりそれぞれ異なる変換動画データを生成するよう前記変換手段を制御すると共に、前記変換手段により生成された前記複数のグループの変換動画データを前記動画記録形式に従って前記記録媒体に記録した後前記ファイナライズ処理を実行するよう前記記録手段を制御する制御手段とを備えることを特徴とする。
また、本発明の撮像装置の他の特徴とするところは、被写体を撮像して動画像データ及び静止画像データを生成する撮像手段と、動画記録指示に応じて前記撮像手段により得られた動画像データを動画記録形式に応じて記録媒体に記録すると共に、静止画記録指示に応じて前記撮像手段により得られた静止画像データを静止画記録形式に応じて前記記録媒体に記録する記録手段と、前記記録媒体に記録されている静止画像データを前記動画記録形式に応じた動画像データに変換し、変換動画データを生成する変換手段と、任意のタイミングで前記変換動画データの生成を指示する変換指示手段と、前記変換指示手段による指示タイミングとは異なる予め決められたタイミングにて、前記変換指示手段による指示があったときに前記記録媒体に記録されている１以上の前記静止画像データを１つのグループとし、複数の前記変換指示手段による指示に対応した複数のグループの前記静止画像データよりそれぞれ異なる変換動画データを生成するよう前記変換手段を制御すると共に、前記変換手段により生成された前記複数のグループの変換動画データを前記動画記録形式に従って前記記録媒体に記録した後ファイナライズ処理を実行するよう前記記録手段を制御する制御手段とを備えることを特徴とする。
【００１３】
本発明の撮像装置の制御方法は、被写体を撮像して動画像データ及び静止画像データを生成する撮像工程と、動画記録指示に応じて前記撮像工程において得られた動画像データを動画記録形式に応じて記録媒体に記録すると共に、静止画記録指示に応じて前記撮像工程において得られた静止画像データを静止画記録形式に応じて前記記録媒体に記録する記録工程と、前記記録媒体に記録されている静止画像データを前記動画記録形式に応じた動画像データに変換し、変換動画データを生成する変換工程と、任意のタイミングで前記変換動画データの生成を指示する変換指示工程と、前記記録媒体に対するファイナライズ処理の指示に応じて、前記変換指示工程による指示があったときに前記記録媒体に記録されている１以上の前記静止画像データを１つのグループとし、複数の前記変換指示工程による指示に対応した複数のグループの前記静止画像データよりそれぞれ異なる変換動画データを生成するよう前記変換工程を制御すると共に、前記変換工程において生成された前記複数のグループの変換動画データを前記動画記録形式に従って前記記録媒体に記録した後前記ファイナライズ処理を実行するよう前記記録手段を制御する制御工程とを備えることを特徴とする。
また、本発明の撮像装置の制御方法の他の特徴とするところは、被写体を撮像して動画像データ及び静止画像データを生成する撮像工程と、動画記録指示に応じて前記撮像工程において得られた動画像データを動画記録形式に応じて記録媒体に記録すると共に、静止画記録指示に応じて前記撮像工程において得られた静止画像データを静止画記録形式に応じて前記記録媒体に記録する記録工程と、前記記録媒体に記録されている静止画像データを前記動画記録形式に応じた動画像データに変換し、変換動画データを生成する変換工程と、任意のタイミングで前記変換動画データの生成を指示する変換指示工程と、前記変換指示工程による指示タイミングとは異なる予め決められたタイミングにて、前記変換指示工程による指示があったときに前記記録媒体に記録されている１以上の前記静止画像データを１つのグループとし、複数の前記変換指示工程による指示に対応した複数のグループの前記静止画像データよりそれぞれ異なる変換動画データを生成するよう前記変換工程を制御すると共に、前記変換工程において生成された前記複数のグループの変換動画データを前記動画記録形式に従って前記記録媒体に記録した後ファイナライズ処理を実行するよう前記記録工程を制御する制御工程とを備えることを特徴とする。
【００１４】
本発明のプログラムは、被写体を撮像して動画像データ及び静止画像データを生成する撮像工程と、動画記録指示に応じて前記撮像工程において得られた動画像データを動画記録形式に応じて記録媒体に記録すると共に、静止画記録指示に応じて前記撮像工程において得られた静止画像データを静止画記録形式に応じて前記記録媒体に記録する記録工程と、前記記録媒体に記録されている静止画像データを前記動画記録形式に応じた動画像データに変換し、変換動画データを生成する変換工程と、任意のタイミングで前記変換動画データの生成を指示する変換指示工程と、前記記録媒体に対するファイナライズ処理の指示に応じて、前記変換指示工程による指示があったときに前記記録媒体に記録されている１以上の前記静止画像データを１つのグループとし、複数の前記変換指示工程による指示に対応した複数のグループの前記静止画像データよりそれぞれ異なる変換動画データを生成するよう前記変換工程を制御すると共に、前記変換工程において生成された前記複数のグループの変換動画データを前記動画記録形式に従って前記記録媒体に記録した後前記ファイナライズ処理を実行するよう前記記録手段を制御する制御工程とを備える撮像装置の制御方法をコンピュータに実行させることを特徴とする。
また、本発明のプログラムの他の特徴とするところは、被写体を撮像して動画像データ及び静止画像データを生成する撮像工程と、動画記録指示に応じて前記撮像工程において得られた動画像データを動画記録形式に応じて記録媒体に記録すると共に、静止画記録指示に応じて前記撮像工程において得られた静止画像データを静止画記録形式に応じて前記記録媒体に記録する記録工程と、前記記録媒体に記録されている静止画像データを前記動画記録形式に応じた動画像データに変換し、変換動画データを生成する変換工程と、任意のタイミングで前記変換動画データの生成を指示する変換指示工程と、前記変換指示工程による指示タイミングとは異なる予め決められたタイミングにて、前記変換指示工程による指示があったときに前記記録媒体に記録されている１以上の前記静止画像データを１つのグループとし、複数の前記変換指示工程による指示に対応した複数のグループの前記静止画像データよりそれぞれ異なる変換動画データを生成するよう前記変換工程を制御すると共に、前記変換工程において生成された前記複数のグループの変換動画データを前記動画記録形式に従って前記記録媒体に記録した後ファイナライズ処理を実行するよう前記記録工程を制御する制御工程とを備える撮像装置の制御方法をコンピュータに実行させることを特徴とする。
【００１５】
本発明の記憶媒体は、前記の何れかに記載のプログラムを記憶したことを特徴とする。
【発明の効果】
【００１６】
本発明によれば、記録媒体に対するファイナライズ処理の指示に応じて、変換手段による指示があったときに前記記録媒体に記録されている１以上の静止画像データを１つのグループとし、複数の変換手段による指示に対応した複数のグループの前記静止画像データよりそれぞれ異なる変換動画データを生成するよう前記変換手段を制御すると共に、前記変換手段により生成された複数のグループの変換動画データを動画記録形式に従って前記記録媒体に記録した後前記ファイナライズ処理を実行するよう記録手段を制御するようにした。これにより、フォトムービーを複数個作成しても記録可能な動画クリップ数を減らさないようにすることができるとともに、動画クリップとフォトムービーとを分けて再生することができる。
【発明を実施するための最良の形態】
【００１７】
（第１の実施形態）
以下、本発明の実施形態について、図面を参照しながら説明する。
図１は、ＤＶＤ−Ｖｉｄｅｏ規格のデータ構造の一例を示す図である。
記録媒体１０１には、ＶＭＧ（ビデオマネージャ）１１１とＶＴＳ（ビデオタイトルセット）＃１（１１２）〜ＶＴＳ＃ｎ（１１４）といった動画像データ再生に必要な情報が記録されている。
【００１８】
ＶＭＧ１１１は、ＶＭＧＩ（ビデオマネージャ情報）１２１、ＶＭＧＭ＿ＶＯＢＳ（ビデオマネージャメニュー用ビデオオブジェクトセット）１２２、ＶＭＧＩ＿ＢＵＰ（ビデオマネージャ情報バックアップ）１２３とから構成されている。ＶＭＧＩ１２１は、ＤＶＤ−Ｖｉｄｅｏ全体を制御する管理情報である。ＶＭＧＭ＿ＶＯＢＳ１２２は、タイトルメニュー画面を構成するためのコンテンツ情報である。ＶＭＧＩ＿ＢＵＰ１２３は、ＶＭＧＩ１２１の完全なコピーであり、バックアップ情報として利用される。
【００１９】
各ＶＴＳ１１２〜１１４（最終ＶＴＳ）は、ＶＴＳＩ（ビデオタイトルセット情報）１２４、ＶＴＳＭ＿ＶＯＢＳ（ビデオタイトルセットメニュー  ビデオオブジェクトセット）１２５、ＶＴＳＴＴ＿ＶＯＢＳ（ビデオタイトルセット  ビデオオブジェクトセット）１２６、ＶＴＳＩ＿ＢＵＰ（ビデオタイトルセット情報  バックアップ）１２７とから構成されている。
【００２０】
ＶＴＳＩ１２４は、各ＶＴＳ１１２〜１１４を制御する管理情報である。ＶＴＳＭ＿ＶＯＢＳ１２５は、各ＶＴＳ１１２〜１１４内の各種メニュー画面を構成するためのコンテンツ情報である。ＶＴＳＴＴ＿ＶＯＢＳ１２６は、タイトル再生のためのコンテンツであり、ＤＶＤレコーダーやＤＶＤデジタルビデオカメラによって記録された映像そのものである。また、前述したフォトムービーもこれに該当する。ＶＴＳＩ＿ＢＵＰ１２７は、ＶＴＳＩ１２４の完全なコピーであり、バックアップ情報として利用される。
【００２１】
図２は、本実施形態におけるデジタルビデオカメラの機能構成例を示すブロック図である。
図２において、２０１は撮像部であり、２０２はマイクロフォンである。２０３は記録系回路であり、撮像部２０１及びマイクロフォン２０２より得られた画像データ及び音声データを圧縮、符号化する。
【００２２】
２０４は記録再生部であり、ＵＤＦなど予め決められたファイルシステムに従ってディスク２０５に対するデータの書き込み、読み出しを行う。即ち、記録再生部２０４は、記録系回路２０３から出力されたデータを所定の形式にフォーマット化し、ファイルデータとして光ディスク２０５に対して記録再生する。２１２はフォトムービー生成部であり、静止画からＭＰＥＧ形式のＩピクチャを作成し、フォトムービーを生成する。２０６は記録再生部２０４からデータファイルを再生する再生系回路である。
【００２３】
２０７は画像データ出力端子であり、２０８は音声データ出力端子である。２０９は撮像部２０１及び再生系回路２０６から出力される画像データに係る画像を表示するＬＣＤである。２１０はデジタルビデオカメラ２００の動作を制御するシステムコントロール部（シスコン）である。２１１は電源スイッチ、記録トリガ、再生スイッチ、停止スイッチあるいは再生リストの編集スイッチなどを含む操作部である。
【００２４】
次に、通常の記録モードにおける動作について説明する。
操作部２１１により動画撮影モードがセットされ、操作部２１１に含まれる記録トリガにより記録開始が指示されると、シスコン２１０は記録系回路２０３を制御して記録を開始する。記録系回路２０３は、撮像部２０１及びマイクロフォン２０２より得られた画像データ及び音声データを符号化し、所定の形式にして記録再生部２０４に出力する。記録再生部２０４は、所定のファイル形式に従うヘッダなどの付加情報を付加して記録系回路２０３から出力されるデータ列をフォーマット化し、ディスク２０５に対して動画像データを記録する。
【００２５】
また、操作部２１１により静止画撮影モードがセットされ、操作部２１１に含まれる記録トリガにより静止画撮影が指示されると、シスコン２１０は記録系回路２０３を制御して記録を開始する。記録系回路２０３は、撮像部２０１より得られた画像データを符号化し、所定の形式にて記録再生部２０４に出力する。記録再生部２０４は所定のファイル形式に従うヘッダなどの付加情報を付加して記録系回路２０３から出力されるデータ列をフォーマット化し、ディスク２０５に対して静止画像データを記録する。
【００２６】
図３は、本実施形態における記録系回路２０３及びその周辺回路の要部構成例を示すブロック図である。
図３おいて、撮像部２０１から画像データが画像信号処理部３０１に出力される。画像信号処理部３０１は、撮像部２０１から入力された画像データに対して符号化フォーマットに従うサブサンプルなどの処理を施し、画像データ符号化部３０２に出力する。
【００２７】
画像データ符号化部３０２は、画像信号処理部３０１から入力された画像データをＭＰＥＧ２あるいはＪＰＥＧの規格に従って符号化し、データ符号化処理部３０６に出力する。また、画像データ符号化部３０２は、一つのデータファイルの代表画像を示すサムネイル画像データを生成し、データ符号化処理部３０６に出力する。
【００２８】
また、マイクロフォン２０２から音声データが音声信号処理部２０３に出力される。音声信号処理部３０３は、マイクロフォン２０２から入力された音声データをデジタルデータに変換し、更に、ノイズ抑圧や増幅等の処理を施し、音声データ符号化部３０４に出力する。音声データ符号化部３０４は、音声信号処理部３０３から入力された音声データをＭＰＥＧ２の規格に従って符号化し、データ符号化処理部３０６に出力する。
【００２９】
データ符号化処理部３０６は、符号化された画像データと音声データとを、ＭＰＥＧ２あるいはＪＰＥＧのトランスポートストリームの形式に変換し、記録再生部２０４に出力する。
【００３０】
また、メタデータ生成部３０５は、撮影日時やＦ値などの撮影情報を示すメタデータを生成し、データ符号化処理部３０６に出力する。データ符号化処理部３０６は、これらのメタデータを画像、音声データのファイルのヘッダあるいはフッタに記録するように配置して、記録再生部２０４に出力する。メニュー画面作成部３０７は、一つのデータファイルの代表画像を示すサムネイル画像を一覧表示したメニュー画面の画像データを必要に応じて作成し、データ符号化処理部３０６に出力する。
【００３１】
本実施形態のデジタルビデオカメラ２００においては、記録開始のトリガから記録停止のトリガの間に撮影して、入力された画像データ及び音声データを一つのファイルとして記録する。そして、データ符号化処理部３０６はメタデータ生成部３０５から入力されたメタデータを各ファイルのヘッダあるいはフッタに格納する。なお、ヘッダにはその他、ファイル名なども記録される。
【００３２】
次に、通常の再生モードの動作について説明する。
操作部２１１により再生モードがセットされると、シスコン２１０は再生系回路２０３を制御して、光ディスク２０５に記録されているデータファイルの先頭画面をデコードし、サムネイル画像データを生成してサムネイル画像をＬＣＤ２０９に表示する。
【００３３】
次に、ユーザによりＬＣＤ２０９に表示されたサムネイルが確認され、操作部２１１により再生を希望するファイルが選択される。シスコン２１０は再生すべきファイルが指定されると、再生系回路２０６を制御して再生中のファイルに関するメタデータの情報をＬＣＤ２０９に表示する。
【００３４】
再生系回路２０６は、記録再生部２０４より指定されたファイルを再生する。そして、そのファイル内の画像データ及び音声データを復号して、画像データ出力端子２０７及び音声データ出力端子２０８から出力するとともに、再生された画像をＬＣＤ２０９に表示する。
【００３５】
図４は、本実施形態における再生系回路２０６及びその周辺回路の機能構成例を示すブロック図である。
図４において、シスコン２１０から再生命令が再生解析部４０１に伝えられると、再生解析部４０１は再生リストや再生の種類を解析する。記録再生部２０４により再生されたデータはデータ復号処理部４０２に出力される。データ復号処理部４０２は、再生されたデータ列より画像データ及び音声データを検出し、更に、ファイルのヘッダ、フッタよりメタデータを検出する。そして、画像データを画像データ復号部４０３に出力し、音声データを音声データ復号４０４に出力する。
【００３６】
画像データ復号部４０３は、データ復号処理部４０２から入力された画像データを復号し、画像出力部４０５に出力する。画像出力部４０５は復号された画像データを外部モニタやその他外部機器にて処理するのに適した形式に変換し、画像データ出力端子２０７またはＬＣＤ２０９に出力する。
【００３７】
音声データ復号部４０４はデータ復号処理部４０２から入力された音声データを復号し、音声出力部４０６に出力する。音声出力部４０６は復号された音声データを外部機器にて処理するのに適した形式に変換し、音声データ出力端子２０８に出力する。
【００３８】
以下、本実施形態によるフォトムービーの作成について説明する。
図５は、動画、静止画、フォトムービーのディスク記録状態を示した図である。なお、フォトムービー（１）は静止画（１）、（２）を変換したものとし、フォトム−ビー（２）は静止画（３）〜（５）をフォトムービーに変換したものとする。
【００３９】
図５（Ａ）は、フォトムービー作成指示に応じてフォトムービーデータを作成し、記録する場合の例である。ユーザの操作によってフォトムービー作成イベントを検知すると、フォトムービー生成部２１２により直ちにフォトムービー作成処理が実行される。静止画撮影やフォトムービー作成を実行するとそれまで記録していた動画像データのタイトルはクローズされ、次回からの撮影は新規タイトルとして記録される。したがって、図５（Ａ）に示す場合は６つのタイトルが作成される。ただし、ここでは他の条件によるタイトル分割は考慮しないものとする。
【００４０】
図５（Ｂ）は、本実施形態において、ＤＶＤビデオカメラでフォトムービーを作成した場合の例である。フォトムービー生成部２１２はフォトムービー作成イベントを検知すると、直ちにフォトムービーを作成することはしない。最初に、例えば、タイトルクローズ時に書き込まれるＶＭＧＩ１２１の代替管理情報であるＴＭＰ＿ＶＭＧＩに用意されたフォトムービー作成フラグを立てる。
【００４１】
そして、光ディスク２０５のファイナライズ時にフォトムービー作成フラグの状態を確認し、フラグが立っている場合は所定単位でフォトムービーを作成する。所定単位は、前回フォトムービー作成イベントが発行されてから新たにフォトムービー作成イベントが発行されるまでに撮影された１つまたは複数の静止画とする。
【００４２】
また、ＴＭＰ＿ＶＭＧＩにフォトムービー作成フラグを記録する代わりに、前回フォトムービー作成イベントが発行されてから新たにフォトムービー作成イベントが発行されるまでに撮影された１つまたは複数の静止画データのＥＸＩＦ情報としてグループ情報を保持してもよい。
【００４３】
図５（Ｂ）を例にすると、静止画（１）、（２）のＥＸＩＦ情報内にグループ１であることを記録し、フォトムービー作成イベントが発行されたら、それ以降に撮影された静止画（３）〜（５）のＥＸＩＦ情報内にはグループ２と記録する。以下、フォトムービー作成イベントを検出するたびにグループ番号をインクリメントしていく。そして、ファイナライズ時にフォトムービーを作成する際にこれらのグループ番号を利用して、同一のグループ番号を保持する静止画群を１つのフォトムービーとして作成する。また、ＥＸＩＦ情報の変わりに、ＴＭＰ＿ＶＭＧＩや静止画管理情報などの一時管理情報にも同様の情報を埋め込むことは可能であり、こちらを利用してもよい。
【００４４】
図６は、本実施形態のデジタルビデオカメラ２００によるファイナライズ時の一連の処理手順の一例を示すフローチャートである。
光ディスク２０５が挿入されると、フォトムービー生成部２１２は、一時管理情報を読み出す（ステップＳ６０１）。次に、ファイナライズの実行を検知する（ステップＳ６０２）。そして、フォトムービー生成部２１２は、まず一時管理情報内のフォトムービー作成フラグを読み出し、フォトムービーを作成するか否かを確認する（ステップＳ６０３）。
【００４５】
この確認の結果、フォトムービーを作成しない場合は、ステップＳ６０６に進む。一方、ステップＳ６０３の確認の結果、フォトムービーを作成する場合は、所定単位毎にフォトムービーを作成する（ステップＳ６０４）。そして、フォトムービーの作成が全て終了したか否かを判定する（ステップＳ６０５）。この判定の結果、全て終了していない場合は、ステップＳ６０４に戻り、残りのフォトムービーを作成する。
【００４６】
一方、ステップＳ６０５の判定の結果、全て終了した場合は、その後、メニュー画面作成部３０７は、各チャプタの代表画像を一覧表示したメニュー画面を作成するか否かを判定する（ステップＳ６０６）。この判定の結果、メニュー画面を作成する場合はメニュー画面作成部３０７はメニュー画面の画像データを作成する（ステップＳ６０７）。一方、ステップＳ６０６の判定の結果、作成しない場合はステップＳ６０８に進む。
【００４７】
次に、記録再生部２０４は、ファイナライズ処理（ファイルシステムやリードイン、リードアウト、必要ならばダミーデータなどの書き込み）を実行して（ステップＳ６０８）、処理を終了する。これにより、ＤＶＤ−Ｖｉｄｅｏ規格に準拠した光ディスク２０５が作成される。
【００４８】
以上のように、本実施形態においては、ファイナライズ時に一括してフォトムービーを作成することによって、各フォトムービーをチャプタとして管理し、９９個までのフォトムービーを１タイトルとして一元管理することが可能となる。また、フォトムービーの作成による動画間のタイトル分割も行われないため、最大録画数を増やすことができる。例えば、図５（Ｂ）に示す動画（４）と（５）との間ではフォトムービーの実体は作られないためタイトル分割されない。これにより、図５（Ｂ）に示す例では、４つのタイトルが作成される。なお、フォトムービーが９９個を超える場合は随時タイトルを作成する。
【００４９】
図５に示すように、記録したコンテンツ内容は同様であっても図５（Ｂ）に示す記録方法の方が図５（Ａ）に示す記録方法と比べてタイトル数が２つ少なく、タイトル数を削減している。また動画がフォトムービーによってタイトル分割されない箇所は、シームレスな再生が可能である。
【００５０】
さらに、図５（Ｂ）に示す記録方法で記録した場合は、メニュー画面を作成する際も動画とフォトムービーとが２分されるために、ユーザにとってコンテンツを把握し易いメニュー画面の構成にすることができる。
【００５１】
図７及び図８はそれぞれ図５（Ａ）、（Ｂ）の記録状態のときに作成されるメニュー画面の一例を示す図である。図７においては、フォトムービーは途中に再生されるが、図８においては、フォトムービーは後半に再生されることがわかる。
【００５２】
なお、本実施形態は、光ディスク２０５を記録媒体として用いているが、それに限定するものではない。また、本発明は、実施形態で説明した処理手順を備えたデジタルビデオカメラ２００のみでなく、一連の手段を有する方法として捉えてもよい。また、本実施形態に記載されている構成要素はあくまでも例示であり、この発明の範囲をそれらのみに限定する趣旨のものではない。
【００５３】
また、本実施形態では、ファイナライズ時に、一括してフォトムービーを作成していたが、これ以外にも、動画データのタイトルをクローズするタイミングでフォトムービーを作成するようにしてもよい。例えば、動画クリップの撮影数が９９チャプタを超えた場合、画面アスペクト比を変更した場合、記録レートを変更した場合、ディスクがイジェクトされた場合などのタイミングでフォトムービーを作成するようにしてもよい。
【００５４】
つまり、フォトムービーの指示タイミングとは独立した、予め決められたタイミングにて、一括してフォトムービーを作成することで、動画データのタイトル数を削減しながら、任意のタイミングでの静止画データをフォトムービーに変換することができる。
【００５５】
（本発明に係る他の実施形態）
前述した本発明の実施形態における撮像装置を構成する各手段、並びに撮像装置の制御方法の各工程は、コンピュータのＲＡＭやＲＯＭなどに記憶されたプログラムが動作することによって実現できる。このプログラム及び前記プログラムを記録したコンピュータ読み取り可能な記録媒体は本発明に含まれる。
【００５６】
また、本発明は、例えば、システム、装置、方法、プログラムもしくは記録媒体等としての実施形態も可能であり、具体的には、複数の機器から構成されるシステムに適用してもよいし、また、一つの機器からなる装置に適用してもよい。
【００５７】
なお、本発明は、前述した実施形態の機能を実現するソフトウェアのプログラム（実施形態では図６に示すフローチャートに対応したプログラム）を、システムまたは装置に直接、または遠隔から供給する。そして、そのシステムまたは装置のコンピュータが前記供給されたプログラムコードを読み出して実行することによっても達成される場合を含む。
【００５８】
したがって、本発明の機能処理をコンピュータで実現するために、前記コンピュータにインストールされるプログラムコード自体も本発明を実現するものである。つまり、本発明は、本発明の機能処理を実現するためのコンピュータプログラム自体も含まれる。
【００５９】
その場合、プログラムの機能を有していれば、オブジェクトコード、インタプリタにより実行されるプログラム、ＯＳに供給するスクリプトデータ等の形態であってもよい。
【００６０】
プログラムを供給するための記録媒体としては、例えば、フロッピー（登録商標）ディスク、ハードディスク、光ディスク、光磁気ディスクなどがある。さらに、ＭＯ、ＣＤ−ＲＯＭ、ＣＤ−Ｒ、ＣＤ−ＲＷ、磁気テープ、不揮発性のメモリカード、ＲＯＭ、ＤＶＤ（ＤＶＤ−ＲＯＭ、ＤＶＤ−Ｒ）などもある。
【００６１】
その他、プログラムの供給方法としては、クライアントコンピュータのブラウザを用いてインターネットのホームページに接続する方法がある。そして、前記ホームページから本発明のコンピュータプログラムそのもの、もしくは圧縮され自動インストール機能を含むファイルをハードディスク等の記録媒体にダウンロードすることによっても供給できる。
【００６２】
また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバも、本発明に含まれるものである。
【００６３】
また、その他の方法として、本発明のプログラムを暗号化してＣＤ−ＲＯＭ等の記録媒体に格納してユーザに配布し、所定の条件をクリアしたユーザに対し、インターネットを介してホームページから暗号化を解く鍵情報をダウンロードさせる。そして、その鍵情報を使用することにより暗号化されたプログラムを実行してコンピュータにインストールさせて実現することも可能である。
【００６４】
また、コンピュータが、読み出したプログラムを実行することによって、前述した実施形態の機能が実現される。さらに、そのプログラムの指示に基づき、コンピュータ上で稼動しているＯＳなどが、実際の処理の一部または全部を行い、その処理によっても前述した実施形態の機能が実現され得る。
【００６５】
さらに、その他の方法として、まず記録媒体から読み出されたプログラムが、コンピュータに挿入された機能拡張ボードやコンピュータに接続された機能拡張ユニットに備わるメモリに書き込まれる。そして、そのプログラムの指示に基づき、その機能拡張ボードや機能拡張ユニットに備わるＣＰＵなどが実際の処理の一部または全部を行い、その処理によっても前述した実施形態の機能が実現される。
【図面の簡単な説明】
【００６６】
【図１】記録媒体に記録されるデータ構造の一例を示す図である。
【図２】本発明の実施形態におけるデジタルビデオカメラの機能構成例を示すブロック図である。
【図３】本発明の実施形態における記録系回路及びその周辺回路の機能構成例を示すブロック図である。
【図４】本発明の実施形態における再生系回路及びその周辺回路の機能構成例を示すブロック図である。
【図５】動画、静止画、フォトムービーのディスク記録状態の一例を示す図である。
【図６】本発明の実施形態のデジタルビデオカメラによるファイナライズ時の一連の処理手順の一例を示すフローチャートである。
【図７】通常のメニュー画面の一例を示す図である。
【図８】本発明の実施形態におけるメニュー画面の一例を示す図である。
【図９】本発明の実施形態において、連続的に撮影した静止画を１つのフォトムービーにした場合のディスク記録状態の一例を示す図である。
【符号の説明】
【００６７】
２００  デジタルビデオカメラ
２０１  撮像部
２０２  マイクロフォン
２０３  記録系回路
２０４  記録再生部
２０５  光ディスク
２０６  再生系回路
２０７  画像データ出力端子
２０８  音声データ出力端子
２０９  ＬＣＤ
２１０  システムコントロール部（シスコン）
２１１  操作部
２１２  フォトムービー生成部
３０１  画像信号処理部
３０２  画像データ符号化部
３０３  音声信号処理部
３０４  音声データ符号化部
３０５  メタデータ生成部
３０６  データ符号化処理部
３０７  メニュー画面作成部
４０１  再生解析部
４０２  データ復号処理部
４０３  画像データ復号部
４０４  音声データ復号部
４０５  画像出力部
４０６  音声出力部
【図１】
2007325110.tif 000003
【図２】
2007325110.tif 000004
【図３】
2007325110.tif 000005
【図４】
2007325110.tif 000006
【図５】
2007325110.tif 000007
【図６】
2007325110.tif 000008
【図７】
2007325110.tif 000009
【図８】
2007325110.tif 000010
【図９】
2007325110.tif 000011